(57)【要約】【課題】壁用のユニットパネルを簡易にかつ無足場にて建物に取り付ける。【解決手段】中空成形板からなる縦長のパネル２を予め横方向に連結したユニットパネル１を壁として建物に取り付ける際に、平置きされているユニットパネルに吊具１１を装着し、鉛直姿勢に立て起こしてそのまま吊り上げ、取り付け位置に導く。吊具はユニットパネルの上端部に添わされる横材１２と、横材から下方に延びてパネルの中空部に挿入される複数の縦材１３からなり、パネルの内面側から縦材の先端部に締結具１４を締結し、その締結点を吊り支持点としてユニットパネルを吊り上げる。ユニットパネルの上部側には上部下地材３を取り付けておき、下部側には定規材４を係止具５により仮止めしておき、建物には下部下地材を取り付けておき、上部下地材を建物に直接固定するとともに、その係止具を下部下地材に対して係止して定規材を取り外す。【選択図】      図３
2004346601.tif 000002
【特許請求の範囲】
【請求項１】
中空成形板からなる縦長のパネルを予め横方向に連結してなるユニットパネルを吊り上げて壁として建物に取り付ける際に、平置きされているユニットパネルに装着されてそのユニットパネルを鉛直姿勢に立て起こしてそのまま吊り上げるための吊具であって、
ユニットパネルの上端部に添わされる横材と、横材から下方に延びていてパネルの中空部に挿入される複数の縦材からなり、中空部に挿入された縦材の先端部に、パネルの内面側に形成された孔を通して締結具が締結されることで、その締結点を吊り支持点としてユニットパネルを吊り上げ可能とされていることを特徴とするユニットパネル用の吊具。
【請求項２】
請求項１記載の吊具であって、横材にはパネルの中空部に差し込まれるダボを備えることを特徴とするユニットパネル用の吊具。
【請求項３】
請求項１または２記載の吊具であって、横材にはユニットパネルの上端部を両面側から挟み込む対の挟み板を備えることを特徴とするユニットパネル用の吊具。
【請求項４】
請求項１，２または３記載の吊具を用いてユニットパネルを壁として建物に取り付けるためのユニットパネル工法であって、
ユニットパネルの内面上部側に各パネルを建物に対してそのまま固定するための上部下地材を取り付けておき、ユニットパネルの内面下部側には各パネルを仮連結する定規材を仮止めしておくとともに、建物には各パネルの下端部を支持固定するための下部下地材を予め取り付けておき、
前記ユニットパネルを平置きした状態で前記吊具を装着し、その吊具によりユニットパネルを立て起こしてそのまま吊り上げ、
ユニットパネルを建物に固定するに際しては、上部下地材をそのまま建物に対して固定し、かつ各パネルの下端部を下部下地材に係止するとともに定規材を取り外すことを特徴とするユニットパネル工法。
【請求項５】
請求項４記載のユニットパネル工法であって、定規材をユニットパネルに対して係止具により仮止めしておき、その係止具によってユニットパネルの下端部を下部下地材に係止するとともに、係止具により仮止めされていた定規材を取り外すことを特徴とするユニットパネル工法。
【請求項６】
請求項４または５記載のユニットパネル工法であって、ユニットパネルの下端部に、このユニットパネルを建物に固定することでその下段側に固定されている他のユニットパネルの上端部との間に自ずと介装される水切板を予め取り付けておくことを特徴とするユニットパネル工法。
【発明の詳細な説明】
【０００１】
【発明の属する技術分野】
本発明は建物の壁の施工に係わり、特に、中空成形板からなる縦長のパネルを予め横方向に連結してなる壁用のユニットパネルを対象として、そのユニットパネルを吊り上げて建物に取り付ける際に適用する吊具、およびそれを用いる工法に関する。
【０００２】
【従来の技術】
周知のように、建物の壁材としてたとえば押出成形セメント板等の中空成形板が広く採用されている。この種の中空成形板は縦長あるいは横長の形状のパネルとして形成されており、これを壁として建物に取り付ける際には、各パネルを１枚ずつ吊り上げては躯体に取り付けていくことが一般的であったが、近年においては、施工性の改善を目的として、たとえば特許文献１に示されるように複数のパネルを予め連結して大判のユニットパネルとしておき、それを一括して吊り上げて躯体に取り付けることも行われている。
【０００３】
【特許文献１】
特開平８−１２８１３７号公報
【０００４】
【発明が解決しようとする課題】
しかし、従来においてはこの種の大判のユニットパネルを吊り上げて建物に取り付ける作業は必ずしも容易にかつ効率的に行い得るものではなく、その作業のためには足場が不可欠であるとされており、そのため、この種のユニットパネルをより簡易にかつ無足場にて取り付けることを可能とする有効適切な工法の開発が望まれていた。
【０００５】
上記事情に鑑み、本発明は、壁用のユニットパネルを簡易にかつ無足場にて建物に取り付けることを可能とするべく、その作業の際に用いて好適な吊具と、それを用いる有効なユニットパネル工法を提供することを目的としている。
【０００６】
【課題を解決するための手段】
請求項１の発明は、中空成形板からなる縦長のパネルを予め横方向に連結してなるユニットパネルを吊り上げて壁として建物に取り付ける際に、平置きされているユニットパネルに装着されてそのユニットパネルを鉛直姿勢に立て起こしてそのまま吊り上げるための吊具であって、ユニットパネルの上端部に添わされる横材と、横材から下方に延びていてパネルの中空部に挿入される複数の縦材からなり、中空部に挿入された縦材の先端部に、パネルの内面側に形成された孔を通して締結具が締結されることで、その締結点を吊り支持点としてユニットパネルを吊り上げ可能とされていることを特徴とする。
【０００７】
請求項２の発明は、請求項１の発明の吊具における横材にはパネルの中空部に差し込まれるダボを備えることを特徴とする。
【０００８】
請求項３の発明は、請求項１または２の発明の吊具における横材にはユニットパネルの上端部を両面側から挟み込む対の挟み板を備えることを特徴とする。
【０００９】
請求項４の発明は、請求項１，２または３の発明の吊具を用いてユニットパネルを壁として建物に取り付けるためのユニットパネル工法であって、ユニットパネルの内面上部側に各パネルを建物に対してそのまま固定するための上部下地材を取り付けておき、ユニットパネルの内面下部側には各パネルを仮連結する定規材を仮止めしておくとともに、建物には各パネルの下端部を支持固定するための下部下地材を予め取り付けておき、前記ユニットパネルを平置きした状態で前記吊具を装着し、その吊具によりユニットパネルを立て起こしてそのまま吊り上げ、ユニットパネルを建物に固定するに際しては、上部下地材をそのまま建物に対して固定し、かつ各パネルの下端部を下部下地材に係止するとともに定規材を取り外すことを特徴とする。
【００１０】
請求項５の発明は、請求項４の発明のユニットパネル工法において、定規材をユニットパネルに対して係止具により仮止めしておき、その係止具によってユニットパネルの下端部を下部下地材に係止するとともに、係止具により仮止めされていた定規材を取り外すことを特徴とする。
【００１１】
請求項６の発明は、請求項４または５の発明のユニットパネル工法において、ユニットパネルの下端部に、このユニットパネルを建物に固定することでその下段側に固定されている他のユニットパネルの上端部との間に自ずと介装される水切板を予め取り付けておくことを特徴とする。
【００１２】
【発明の実施の形態】
以下、本発明の一実施形態を図１〜図１０を参照して説明する。
【００１３】
まず図１を参照してユニットパネル１について説明する。このユニットパネル１は外壁材として多用されている中空成形板からなる縦長のパネル２を、複数枚（図示例では５枚）予め横方向に連結したものであり、その内面の上部側には各パネル２を連結するとともにこのユニットパネル１を建物に対してそのまま固定するための上部下地材３が取り付けられ、下部側には各パネル２を仮連結している定規材４が仮止めされている。本実施形態では、パネル２として押出成形セメント板が採用され、上部下地材３および定規材４としていずれも形鋼（アングル材）が採用され、それら上部下地材３および定規材４はいずれも係止具５（いわゆるＺ型クリップ）を各パネル２にボルト締結することで取り付けられている。なお、後述するように、最終的には定規材４は取り外され、それを仮止めしていた係止具５は反転させられて下部下地材２８に係止されることで各パネル２を建物に対して固定するものであるので、その係止具５の位置は下部下地材２８の位置に対応してそれに係止し得るように厳密に位置決めされている。
【００１４】
また、本実施形態のユニットパネル１では、両側および中央に位置している３枚のパネル２の内面の下部側に、後述する吊具１１を締結するための締結孔６が予め形成されている。さらに、このユニットパネル１の下端部には、たとえばステンレス鋼板が予め折り曲げ加工された水切板７が取り付けられている。ユニットパネル１に対する水切板７の取り付けは、たとえば図１０（ｃ）に示すように各パネル２に対してビス８をねじ込むことで行えば良いが、その際、パネル２の中空部に予め角パイプ材９を組み付けておいて、その角パイプ材９に対してビス８をねじ込むことで確実に固定することができる。
【００１５】
図２は上記のユニットパネル１を立て起こして吊り上げるための吊具１１を示し、図３〜図４はその吊具１１をユニットパネル１に装着した状態を示す。吊具１１は、角パイプを素材として、ユニットパネル１の形状や寸法に対応する形態に製作されたもので、ユニットパネル１の幅寸法に相当する長さの横材１２と、その横材１２の両端部および中央部から下方（ユニットパネル１の下部側）に延びる３本の縦材１３を主体としており、図３に示すように各縦材１３をユニットパネル１の中空部に挿入し、横材１２をユニットパネル１の上端部に添わせる状態でユニットパネル１に装着され、締結具１４によりユニットパネル１に対して締結されるものである。
【００１６】
すなわち、図４（ｂ）に示すように、縦材１３の先端部には締結具１４が挿入される孔１５が形成されているとともに、その孔１５の内側にはナット１６が溶接されていて、この吊具１１がユニットパネル１に装着された状態では縦材１３の先端部がユニットパネル１の下端部付近まで達して、その先端部に設けられている孔１５がユニットパネル１の内面側に形成されている上記の締結孔６に自ずと合致するようになっている。そして、ボルト１４ａおよび座金１４ｂからなる締結具１４をユニットパネル１の内面側からそれらの締結孔６および孔１５を通してナット１６に対して締結することで、吊具１１がユニットパネル１に対して締結され、その吊具１１を吊り上げることでユニットパネル１が立て起こされるとともに、締結具１４による締結点を吊り支持点としてユニットパネル１をそのまま吊り上げることができるようになっている。この際、縦材１３がパネル２の内側に全長にわたって接することになるので、パネル２に対して局部的な無理な力がかかることがなく、したがってパネル２を局部的に損傷したり破損してしまうことがない。
【００１７】
なお、図２に示すように、吊具１１には横材１２の下面側に各パネル２の中空部に挿入可能なダボ１７が設けられ、吊具１１が上記のようにしてユニットパネル１に装着された状態ではそれらのダボ１７も自ずと中空部に挿入されるようになっている。また、縦材１３の基端部の両側には、図３や図４（ａ）に示すように、吊具１１が装着された状態でユニットパネル１の上端部を両面側から挟み込む対の挟み板１８が設けられている。さらに、横材１２の両端部の上面側にはワイヤをかけるための吊り環１９が取り付けられている。
【００１８】
図５〜図９は建物の内部からの作業により上記のユニットパネル１を外壁として取り付けるための作業工程を示し、図１０はそのユニットパネル１の取付状態を示す詳細図である。
【００１９】
まず、図５に示すように、作業階の梁２６Ａに固定アングル２７を介して下部下地材２８を予め取り付けておくとともに、作業階のスラブ２１上に台車２２を配置し、その台車２２上に、吊具１１を装着したユニットパネル１を内面を上向きとした平置き状態でその重心部を支持して搭載し、ホイスト等の揚重機２４からのワイヤ２３を吊具１１の吊り環１９にかける。また、ユニットパネル１の定規材４には介錯ロープ３５を連結しておく。
【００２０】
図６に示すように、台車２２をストッパ３６に突き当たる最前方の位置まで前進させてユニットパネル１の上部を外部に突き出した後、揚重機２４により吊具１１を徐々に吊り上げてユニットパネル１を徐々に立て起こしていきつつ徐々に前方に送り出していき、図７に示すようにユニットパネル１の下端部に硬質スポンジ等の緩衝材２５（ヤワラ）をあてがって立て起こしたら台車２２を撤去する。その際、介錯ロープ３５を操作してユニットパネル１の立て起こしと吊り上げを案内し、不用意に外部に吊り出されてしまうようなことを防止する。
【００２１】
図８に示すようにユニットパネル１を建物外に引き出して鉛直姿勢で吊り上げた後、徐々に降下させ、図９に示すようにその下端部を下部下地材２８により支持して自重を受け、その状態で、ユニットパネル１の上端部に取り付けられている上部下地材３を上階の梁２６Ｂの下面に対して溶接して固定する。この際、必要であれば、上部下地材３を固定している係止具（Ｚ型クリップ）５を若干緩めることで、上部下地材３の位置を容易に微調整することが可能である。また、定規材４を仮止めしていた係止具（Ｚ型クリップ）５を順次緩めて下向きに反転させて下部下地材２８に対して係止していき、これにより各パネル２の下端部を係止具５および下部下地材２８を介して梁２６Ａに対して固定するとともに、最終的には定規材４を取り外す。そして、そのように取り付けたユニットパネル１から締結具１４を取り外し、吊具１１を吊り上げて上方に抜き取る。なお、係止具５の反転により取り外した定規材４、および吊具１１は、他のユニットパネル１にそのまま取り付けて転用する。
【００２２】
当階において同様の作業を繰り返してユニットパネル１を横方向に並べて順次取り付けていき、当階での作業が完了したら上階において同様の作業を繰り返し、図１０（ｃ）に示すように上下のユニットパネル１間にシール材２９および断熱材３０を介装する等の仕上げ作業を行う。
【００２３】
上記の吊具１１を用いて上記の手順で作業を行うことにより、ユニットパネル１を外壁として容易にしかも無足場にて取り付けることができる。すなわち、本実施形態の吊具１１は縦材１３をユニットパネル１の中空部に挿入してその先端部をユニットパネル１に締結具１４によって締結するものであるので、吊具１１の装着や取り外しを何等面倒なく容易に行い得ることはもとより、ユニットパネル１に装着した吊具１１を単に吊り上げることのみで平置きされていたユニットパネル１を支障なく確実に立て起こすことができ、かつそのまま鉛直姿勢で安定に吊り上げて取付位置まで導くことができる。特に、上記の吊具１１は、縦材１３をユニットパネル１の下端部付近まで深く挿入するのみならず、横材１２に設けたダボ１７をユニットパネル１の上端部にも挿入し、さらに挟み板１８によりユニットパネル１の上端部を両面側から挟み込むので、立て起こしの際にユニットパネル１の各部に無理な力がかかることがなく、ユニットパネル１の全体を安定に支持し得て不用意に損傷を与えてしまうようなことを確実に防止できるものである。
【００２４】
また、上記の工法では、ユニットパネル１を建物に取り付けるための上部下地材３は予めユニットパネル１に取り付けておくが、下部下地材２８は予め建物側に取り付けておいて、ユニットパネル１の下端部を下部下地材２８により支持することでその自重を下部下地材２８で受けた状態で上部下地材３を梁２６Ａに対して溶接するとともに、各パネル２の下端部を下部下地材２８に対して係止具５により係止することにより、ユニットパネル１の建物に対する取り付け作業を建物の内部から無足場にて容易に行うことができる。特に、下部下地材２８に対して各パネル２の下端部を係止する際には、定規材４を仮止めしていた係止具５を利用することとして、その係止具５を反転させて下部下地材２８に係止するとともに定規材４を取り外すようにしているので、その作業を極めて容易に行うことができる。勿論、各パネル２の下端部が下部下地材２８に係止されるまでは定規材４により仮連結されているので、ユニットパネル１を立て起こして吊り上げるに際して各パネル２がばらけたりずれてしまうようなことは確実に防止することができる。
【００２５】
なお、上部下地材３と同様に下部下地材２８も予めユニットパネル１に取り付けておくことも考えられるが、その場合は、ユニットパネル１の上部のみならず下部も一括して建物に対して固定することになるため、微妙な施工誤差を吸収し難くなってかえって作業性が損なわれることが想定される。そのため、上記実施形態のように、各パネル２の下端部は定規材４により仮止めしておくに留めて、下部下地材２８は建物側に固定しておき、その下部下地材２８に各パネル２の下端部を個々に係止していくことがより好ましい。
【００２６】
さらに、上記実施形態では、ユニットパネル１の下端部に予め水切板７を取り付けておくので、ユニットパネル１を順次取り付けていくことのみで上下のユニットパネル１の間に自ずと水切板７が介装されることになり、したがって外壁の止水性を充分に確保できることはもとより、そのような水切板７を後付けする場合に較べてその作業性を大きく改善することができる。
【００２７】
以上で本発明の一実施形態を説明したが、上記実施形態はあくまで一例であって、本発明は上記実施形態に限定されることなく適宜の設計的な変更が可能である。たとえば、上記実施形態におけるユニットパネル１は５枚のパネル２を連結したものとしたが、パネル２の枚数は適宜増減可能であるし、パネル２自体やユニットパネル１全体の形状や寸法も、吊具１１により立て起こすことができかつ吊り上げることができる限りにおいて任意である。また、上記実施形態における吊具１１は３本の縦材１３を有するものとしたが、ユニットパネル１を安定に立て起こして吊り上げることのできるものであれば縦材１３は少なくとも２本あれば良く、あるいはさらに多数の縦材１３を有するものとしても良い。さらに、パネルユニット１に対して吊具１１の縦材１３を締結するべき位置、換言すればパネル２の中空部に対する縦材１３の挿入長さは、パネル２の材質やその質量、強度等を考慮して、パネルユニット１を立て起こす際に無理な力がかかって変形や損傷が生じることがないように設定する限りにおいて任意である。いずれにしても、吊具１１としては吊り上げるべきユニットパネル１の形態や材質に合わせて適当なものを採用すれば良く、ダボ１７や挟み板１８の数や位置はその有無も含めて任意に変更可能である。また、ユニットパネル１を建物に取り付けるための作業手順も、建物の構造や形態、現場の状況等を勘案して最適な工程を採用すれば良く、その他、本発明の主旨を逸脱しない範囲で任意の変更、応用が可能であることは言うまでもない。
【００２８】
【発明の効果】
請求項１の発明の吊具は、ユニットパネルの上端部に添わされる横材と、横材から下方に延びる縦材からなり、縦材をパネルの中空部に挿入し、ユニットパネルの内面側から縦材の先端部に締結具を締結する構成であるので、吊具を吊り上げることでユニットパネルを立て起こしてそのまま鉛直姿勢で吊り上げ可能であり、かつそのまま取り付け位置に導いて建物に取り付けることが可能であり、ユニットパネルの取り付け作業を無足場にて効率的に行うことが可能である。
【００２９】
上記に加え、請求項２の発明の吊具は横材にパネルの中空部に差し込まれるダボを備え、また、請求項３の吊具は横材にユニットパネルの上端部を両面側から挟み込む対の挟み板を備えたので、いずれもユニットパネルをより安定に立て起こすことができる。
【００３０】
請求項４の発明のユニットパネル工法は、ユニットパネルの上部側に上部下地材を取り付けておき、下部側には定規材を仮止めしておくとともに、建物には下部下地材を予め取り付けておき、ユニットパネルを平置きした状態から上記の吊具により立て起こしてそのまま吊り上げ、上部下地材をそのまま建物に対して固定し、かつ各パネルの下端部を下部下地材に対して係止するとともに定規材を取り外すことにより、ユニットパネルの立て起こし、吊り上げ、建物への取り付けという一連の作業を無足場にて効率的に行うことが可能である。
【００３１】
上記に加え、請求項５の発明のユニットパネル工法は、定規材を仮止めしていた係止具によりユニットパネルの下端部を下部下地材に対して係止して定規材は最終的に取り外すので、ユニットパネルの取り付け作業を極めて容易に行うことができ、さらに請求項６の発明のユニットパネル工法は、ユニットパネルの下端部に水切板を予め取り付けておくので、上下のユニットパネル間に水切板を自ずと介装することができる。
【図面の簡単な説明】
【図１】本発明の実施形態を示す図であって、ユニットパネルの一例を示す図である。
【図２】同、吊具の一例を示す斜視図である。
【図３】同、吊具をユニットパネルに装着した状態を示す斜視図である。
【図４】同、吊具をユニットパネルに装着した状態を示す断面図および要部詳細図である。
【図５】同、ユニットパネルの取り付け作業工程を示すもので、作業を開始した状態を示す図である。
【図６】同、台車を最前方位置まで前進させた状態を示す図である。
【図７】同、ユニットパネルを立て起こしている状態を示す図である。
【図８】同、ユニットパネルを吊り上げた状態を示す図である。
【図９】同、ユニットパネルを建物に取り付けている状態を示す図である。
【図１０】同、ユニットパネルを取り付けた状態を示す詳細図である。
【符号の説明】
１  ユニットパネル
２  パネル
３  上部下地材
４  定規材
５  係止具
７  水切板
１１  吊具
１２  横材
１３  縦材
１４  締結具
１７  ダボ
１８  挟み板
２８  下部下地材
【図１】
2004346601.tif 000003
【図２】
2004346601.tif 000004
【図３】
2004346601.tif 000005
【図４】
2004346601.tif 000006
【図５】
2004346601.tif 000007
【図６】
2004346601.tif 000008
【図７】
2004346601.tif 000009
【図８】
2004346601.tif 000010
【図９】
2004346601.tif 000011
【図１０】
2004346601.tif 000012